(57)【要約】【課題】  日付と時刻（時・分）、もしくは日付・時刻と位置（緯度、経度、高度など）を、いつでもどこでも普通紙等に捺印できる機能を有するスタンプを提供する。【解決手段】（１）電波時計用標準電波もしくはＧＰＳ衛星電波を利用し、（２）スタンプ１内に電波受信アンテナ２、電波受信ＩＣ３、ワンチップ・マイクロコンピュータ４、インクジェット・固定ヘッド５、電源７、押印用サイドスイッチ８を具備し、（３）電波受信情報に基づき前記マイクロコンピュータ４により日付と時刻、もしくは日付・時刻と位置を演算し、（４）前記マイクロコンピュータ４の制御により、前記固定ヘッド５を構成する直列状及びメッシュ状配列のノズルのうち印証パターンに対応するノズルから、押印面にインク微粒子を圧力作用により瞬時に噴射させる。【選択図】  図１
2005081832.tif 000002
【特許請求の範囲】
【請求項１】
電波時計用標準電波を受信するアンテナと電波受信部、受信情報から日付と時刻を計算する演算部、捺印に必要な情報を記憶する記憶部、後述のインクジェット噴射機能を制御する制御部、及び直列状と２次元メッシュ状配列のインクジェット・固定ノズルを、それぞれスタンプ内に具備し、印証パターンに対応したノズルからインク微粒子を押印面に噴射させる方式により、日付・時刻を捺印できる機能を有することを特徴とするディジタル・スタンプ。
【請求項２】
ＧＰＳ衛星電波を受信するアンテナと電波受信部、受信情報から位置（緯度，経度，高度など）及び日付・時刻を計算する演算部、請求項１記載の記憶部と制御部、及び請求項１記載のインクジェット・固定ノズルを、それぞれスタンプ内に具備し、請求項１記載の方式によりインク微粒子を噴射させることにより、位置及び日付・時刻を捺印できる機能を有することを特徴とするディジタル・スタンプ。
【発明の詳細な説明】
【技術分野】
【０００１】  本発明は、取引証明、認可証明、各種承認・証明などのための、時計機能ないし時計と測位機能を内蔵したスタンプに関する。
【背景技術】
【０００２】  従来の日付印は、手動で日付を変更し、捺印のため朱肉またはインク吸着スタンプ台を使用して、印鑑の印判面の情報を紙に転写するものである。一方、インターネットの普及に伴い、電子商取引などに電子印鑑が使用されているが、この場合は電子的に押印を行うことを目的としているため、パソコンなど特別の機器を必要とする。【０００３】  これに対し、電子部品の集積度向上、小型化に伴い、捺印すべき印鑑情報を印鑑内の記憶回路に蓄え、印鑑内の送信回路と印鑑内の送信アンテナを介して、受信アンテナと受信回路と記憶回路を具備した電子シートに、印判面の押印とともに電子的に押印、転写が可能な電子筆記具および電子記載方法が提案されている（特許文献１参照）。しかし、この場合には電子的に情報受信機能を有する特別の電子シートを必要とするという問題がある。【０００４】  一方、ＡＴＭ（現金自動出入機）などの取引処理装置やＣＡＴ（クレジットカード照会用コンピュータ端末機）などの帳票発行装置に内蔵付加させることを目的とした印証形成装置が提案されている（特許文献２参照）。前記特許文献２は、取引ないし帳票の安全性確保のため、印証形成手段の一例として、印証パターンに対応して印証形成剤（光硬化樹脂や熱膨張インクなど）を吐出させ、光照射や加熱により印証形成剤を硬化させることにより、押印対象面に凹凸のある印証パターンを形成させるものである。しかし、通常のスタンプに上記パターン形成手段を応用するには、実用的な時間内に捺印を終えるには困難を伴うなどの問題がある。【０００５】  本発明に係るディジタル・スタンプの主要構成要素に関する一般的な技術水準の現状について記述する。【０００６】  電波時計用標準電波の受信用ＩＣ素子はワンチップ化されており、例えば縦６．５ｍｍ、横５．３ｍｍ、高さ１．３ｍｍと小型化されている（非特許文献１参照）。一方、ＧＰＳ衛星電波のＲＦ受信用ＩＣも年々小型化しており、最新のデータでは例えば外形寸法は６ｍｍ×６ｍｍ、信号処理用ＩＣも例えば外形寸法が８ｍｍ×８ｍｍである（非特許文献２参照）。【０００７】  インクジェットプリンタのインクジェット・ヘッド（ノズル部とカートリッジ部の総称）の最新のものは、半導体微細加工技術であるＭＥＭＳ（マイクロ・エレクトロ・メカニカル・システム）の技術を活用することにより、１色当り５１２個のノズルが１２００ｄｐｉ相当の密度でＸ軸方向に直列状に配列され、それを６色分、Ｙ軸方向に平行配列させることにより、１５ｍｍ四方のサイズの中に合計３０７２個のノズルが作り込まれている。現在のプリンタでは、このヘッドの機械駆動（Ｘ軸方向）と印刷紙の紙送り（Ｙ軸方向）の両方でプリントアウトを実行している（非特許文献３、非特許文献４参照）。
【特許文献１】特開２０００−２３１６２６号公報（第１５頁図１、図１６）
【特許文献２】特開平８−１５６３８４号公報（第２頁請求項６、第９頁図７、図９）
【非特許文献１】ＴＥＭＩＣ社技術資料「ＴＥＭＩＣ−Ｕ４２２６Ｂ」ＴＥＭＩＣ  Ｓｅｍｉｃｏｎｄｕｃｔｏｒ  ＧｍｂＨ（Ｇｅｒｍａｎｙ），Ｒｅｖ．Ａ３，２６−Ａｐｒ−９９，Ｐ１６（１７）
【非特許文献２】日経エレクトロニクス、Ｎｏ．８５２、Ｐ３０〜３１  ２００３年７月２１日号
【非特許文献３】浅井、中島「現代からくり考、インクジェットプリンタ」、パリティ１７巻４号、Ｐ５４〜５９、２００２年
【非特許文献４】「キャノンＢＪプリンタ総合カタログ、ＰＩＸＵＳ」Ｐ３１、２００３年４月現在
【発明の開示】
【発明が解決しようとする課題】
【０００８】  本発明が解決しようとする課題は、（１）普通紙等に、時・分の単位まで捺印できる機能を有する日付スタンプを提供すること、（２）普通紙等に、前記日付・時刻、並びに位置情報（緯度、経度、高度など）を捺印できる機能を有するスタンプを提供すること、である。【０００９】  従来例えば、領収書発行機の場合、機器内部の時計を使って、日付、時・分の単位まで数字がプリントアウトされる。通常の電子印鑑の場合、パソコン内に記憶された印証パターンがプリンタの例えばインクジェット・ヘッド部の駆動・スキャンを介して紙等に転写出力される。従来からの日本の慣習として、書類等への手による押印の手続きを保つためには、例えば前記特許文献１のように、特別の機能を有する電子シートを必要とした。一方、印証パターン形成手段として、例えば前記特許文献２のように、印証形成剤の吐出・硬化作用を利用するものがあるが、普通紙上に、スタンプとしての実用的な時間内に捺印を終えるには問題があった。【００１０】  さらに従来のように、機器の内部時計を基凖とした時刻表示の場合、経時変化による時刻の正確さの低下のほか、内蔵プログラムの人為的操作も不可能ではないため、日付・時刻等の表示の信憑性についても課題が残る。【００１１】  本発明は、上記の諸課題を解決することにより、パソコン、プリンタその他特別の電子機器を必要とせず、いつでもどこでも携帯・捺印が可能な、前記（１）、（２）の機能を有することを特徴とするスタンプを提供するものである。
【課題を解決するための手段】
【００１２】  本発明は、以下の手段１ないし手段２により上記諸課題を解決する。【００１３】  （手段１）電波時計用標準電波を受信するアンテナと電波受信部、受信情報から日付、時刻を計算する演算部、捺印情報等の記憶部、押印面直近に固定した直列状及び２次元メッシュ状配列のインクジェット・ノズル、ノズルのインク噴射機能の制御部を、それぞれスタンプ内に具備し、印証パターンに対応したノズルからインク液微粒子を、圧力作用により押印面に噴射させる方式により、日付、時・分を普通紙等に捺印できる機能を持たせる。【００１４】  （手段２）ＧＰＳ衛星電波を受信するアンテナと電波受信部、受信情報から時刻と位置（緯度、経度、高度など）を計算する演算部、手段１記載の記憶部、手段１記載のインクジェット・ノズル、手段１記載の制御部を、それぞれスタンプ内に具備し、手段１記載の方式により、位置と時刻を普通紙等に捺印できる機能を持たせる。
【発明の効果】
【００１５】  本発明が従来の技術に比べて優れていると言える点は、（１）スタンプに標準電波又は衛星電波の受信機能を持たせることにより、ＣＰＵ内蔵クロックを常時校正し、常に正確な時刻を表示できる機能を持たせたこと、（２）スタンプにＧＰＳ衛星電波の受信機能を持たせることにより、常に位置情報（緯度、経度、高度など）もスタンプに表示できる機能を持たせたこと、（３）スタンプ下部の押印面直近に、多数のインクジェット・ノズルを直列状及び２次元メッシュ状に固定配置したことにより、従来のインクジェットプリンタのような機械駆動部分を不要とし、また、従来の印証形成剤吐出方法（前記特許文献２）に比べ、高速かつ簡便に印証形成を可能としたこと、（４）スタンプの前記構成により、従来の日付印のように朱肉又はスタンプ台が不要となり、いつでもどこでも携帯・捺印を可能としたこと、などである。
【発明を実施するための最良の形態】
【００１６】  本発明に係るディジタル・スタンプの構成概略斜視図を図１に示す。図において、１はスタンプ、２は電波受信アンテナ、３は電波受信ＩＣ、４はワンチップ・マイクロコンピュータ、５はインクジェット・固定ヘッド、６はインク微粒子噴射面、７は電源、８は押印用スイッチである。ここで２及び３は、電波時計用標準電波を受信する請求項１記載のスタンプでは４０ｋＨｚ用、ＧＰＳ衛星電波を受信する請求項２記載のスタンプでは１．５７５ＧＨｚ用で、それぞれ構成する。【００１７】  本発明に係るディジタル・スタンプの機能ブロック図を図２に示す。図において、マイクロコンピュータ４は、請求項１記載のスタンプでは受信ＩＣ３で受けた４０ｋＨｚ標準電波のタイムコードをデコードし、日付、時刻の計算をし、また請求項２記載のスタンプでは、マイクロコンピュータ４は、受信ＩＣ３で受けた複数のＧＰＳ衛星からの１．５７５ＧＨｚの電波情報をもとに、衛星航法の原理により時刻及び測位の計算を行なう。マイクロコンピュータ４からの制御信号により、印証パターンに対応したインクジェット・固定配置ノズル５０からインク微粒子を噴射する。インク微粒子の噴射誘起の方法は、インクジェットプリンタで従来使われている、ノズル加熱によるインク内気泡の突発による圧力作用、ないしノズル上流側に設けた圧電素子の駆動によるノズル内インク液の加圧などが利用可能である。【００１８】  本発明に係るディジタル・スタンプに具備するワンチップ・マイクロコンピュータ４の概略回路構成を図３に示す。マイクロコンピュータ４は電波受信ＩＣ３からの信号データを受け、ＲＯＭ４２に内蔵したプログラムに従って、ＣＰＵ４１により日付・時刻あるいは日付・時刻・位置の演算を実行する。ＲＯＭ４２又はＲＡＭ４３に記憶されている印証データ（例えば、法人名、姓、日付、時刻、位置、印証の種類、印影のパターンなど）はＩ／Ｏポート４４を介して、ＣＰＵ４１による制御信号の形態でインクジェット・ノズル部５０に伝送する。【００１９】  本発明に係るディジタル・スタンプに固定配置するインクジェット・ヘッド５を構成するインクジェット・ノズル５０の配列の一例を図４に模式的に示す。図のａ，ｂは何れもノズル配列の平面図であり、図のａは全体図で、６組の直列状分布ノズル５１と９組のメッシュ状分布ノズル５２のモジュールから構成されている。図のｂはメッシュ状分布ノズル５２の１組のモジュールを拡大して示したもので、５ｍｍ×５ｍｍのサイズ内に２００μｍ間隔で２５×２５＝６２５個のノズルから成る。図では、使用される印証文字の１例として「受付」の「受」について、２００μｍ×２００μｍの対応メッシュ内にそれぞれインク微粒子１個を着弾させた場合を模式的に示す。
【産業上の利用可能性】
【００２０】  本発明に係るディジタル・スタンプは、従来の日付印に比べて、時刻（時・分）まで正確に捺印できるスタンプを世に提供することにより、広く産業の発展に貢献可能である。具体例として、官庁における書類の受付印の場合の捺印情報の一例を図５に示す。【００２１】  さらに、本発明は時刻と位置を正確に捺印できるスタンプを提供することにより、スタンプとしての新しい利用分野が開拓可能である。具体例として、食品の安全に関連して、例えば生産物の時刻と場所の表示・捺印が可能となるので、食品の品質に関するトレーサビリティの信頼性向上に貢献可能である。この場合の捺印情報の一例を図６に示す。
【図面の簡単な説明】
【図１】本発明に係るディジタル・スタンプの構成概略斜視図である。
【図２】本発明に係るディジタル・スタンプの機能ブロック図である。
【図３】本発明に係るディジタル・スタンプに内蔵するワンチップ・マイクロコンピュータの概略回路構成である。
【図４】本発明に係るディジタル・スタンプに固定配置するインクジェット・ノズル部の配列の一例を模式的に示した平面図である。ａは全体配置の一例、ｂはこのうち１組のメッシュ状分布ノズルによる印証文字例の拡大図である。
【図５】本発明に係るディジタル・スタンプによる捺印情報の一例である。実際の印影は微細ドットの集合で構成される。
【図６】本発明に係るディジタル・スタンプによる別の捺印情報の一例である。実際の印影は微細ドットの集合で構成される。
【符号の説明】
１    スタンプ                            ５    インクジェット・固定ヘッド
２    電波受信アンテナ                    ５０  インクジェット・固定配列ノズル
３    電波受信ＩＣ                        ５１  直列状ノズル
４    ワンチップ・マイクロコンピュータ    ５２  メッシュ状ノズル
４１  ＣＰＵ                              ６    インク微粒子噴射面
４２  ＲＯＭ                              ７    電源
４３  ＲＡＭ                              ８    押印用スイッチ
４４  Ｉ／Ｏポート
【図１】
2005081832.tif 000003
【図２】
2005081832.tif 000004
【図３】
2005081832.tif 000005
【図４】
2005081832.tif 000006
【図５】
2005081832.tif 000007
【図６】
2005081832.tif 000008